(57)【要約】【課題】  人体部位における足関節、手首及び親指等の外傷治療、発生予防、再発防止等のために、当該部位を簡便に捲回固定するために好適な人体部位捲回固定帯を提供することである。具体的には、部品点数を極力少なくしてシンプルでかつ左右同形の足関節部位固定用の捲回固定帯（手首及び親指固定用の捲回固定帯）を提供することである。【解決手段】  人体の関節部位に装着される捲回用シートからなる足関節部位固定用の捲回固定帯において、表面側のシート状起毛部材に、裏面側部材としてゴムシート材を張合し、接着剤により貼着した当該捲回用シートを略Ｔ定規形に裁断してなり、かつ、捲回用シートが垂直部の中心線Ｃで左右対称形状であり、Ｌ２／Ｌ１が２．０以上１０．０以下であることを特徴とする足関節部位固定用の捲回固定帯。  ここに、Ｌ１：捲回固定帯の水平部の長さ（ｃｍ）          Ｌ２：捲回固定帯の垂直部の長さ（ｃｍ）【選択図】          図２
2007014747.tif 000002
【特許請求の範囲】
【請求項１】
人体の関節部位に装着される捲回用シートからなる足関節部位固定用の捲回固定帯において、
表面側のシート状起毛部材に、裏面側部材としてゴムシート材を張合し、接着剤により貼着した当該捲回用シートを略Ｔ定規形に裁断してなり、かつ、捲回用シートが垂直部の中心線Ｃで左右対称形状であり、Ｌ２／Ｌ１が２．０以上１０．０以下であることを特徴とする足関節部位固定用の捲回固定帯。
ここに、Ｌ１：捲回固定帯の水平部の長さ（ｃｍ）
Ｌ２：捲回固定帯の垂直部の長さ（ｃｍ）
【請求項２】
前記シート状起毛部材が、天然繊維、合成繊維、不織布又はパイル生地を素材としていることを特徴とする、請求項１記載の足関節部位固定用の捲回固定帯。
【請求項３】
前記ゴムシート材が、ネオプレンゴムシートであることを特徴とする、請求項１記載の足関節部位固定用の捲回固定帯。
【請求項４】
前記シート状起毛部材とゴムシート材を貼着する接着剤が、ゴム系接着剤又はウレタン系接着剤であることを特徴とする、請求項１〜請求項３記載の足関節部位固定用の捲回固定帯。
【請求項５】
前記シート状起毛部材の厚さを約０．０８ｍｍ〜０．２ｍｍ、ゴムシート材を約０．４ｍｍ〜０．６ｍｍとしたことを特徴とする、請求項１〜請求項３記載の足関節部位固定用の捲回固定帯。
【請求項６】
前記捲回用シートの全面に微細孔を穿設したことを特徴とする、請求項１〜請求項５記載の足関節部位固定用の捲回固定帯。
【請求項７】
前記捲回用シートの捲回用シートを略Ｔ定規形に裁断してなり、かつ、捲回用シートが垂直部の中心線Ｃで左右対称形状であり、Ｌ２／Ｌ１が３．０以上４．０以下であることを特徴とする足関節部位固定用の捲回固定帯。
ここに、Ｌ１：捲回固定帯の水平部の長さ（ｃｍ）
Ｌ２：捲回固定帯の垂直部の長さ（ｃｍ）
【請求項８】
前記捲回固定帯の水平部四隅と該水平部下端に交叉する垂直部の二隅を円弧状としていることを特徴とする、請求項７記載の足関節部位固定用の捲回固定帯。
【請求項９】
前記捲回固定帯におけるゴムシート材側の水平部両端及び垂直部下方に設けた終端部に、係着用面ファスナーを貼着又は縫着したことを特徴とする、請求項７及び請求項８記載の足関節部位固定用の捲回固定帯。
【請求項１０】
前記捲回固定帯の水平部上端から垂直部下端までの長さを、約８３ｃｍ〜８７ｃｍ、終端部を約１５ｃｍ〜１７ｃｍとし、水平部の長さを約２５ｃｍ〜２９ｃｍとし、水平部の巾寸法を約６ｃｍ〜８ｃｍとし、垂直部の巾寸法を約５ｃｍ〜７ｃｍ、終端部の巾寸法を垂直部の巾寸法より小としたことを特徴とする、請求項７〜請求項９記載の足関節部位固定用の捲回固定帯。
【請求項１１】
人体の関節部位に装着される捲回用シートからなる手首及び親指固定用の捲回固定帯捲回固定帯において、
表面側のシート状起毛部材に、裏面側部材としてゴムシート材を張合し、接着剤により貼着した当該捲回用シートからなる手首及び親指固定用の捲回固定帯捲回固定帯において、上方部を親指捲回用、下方部を手首捲回用として概略クランク状の平面形に裁断してなり、上方部の長さＬ１０は下方部の長さＬ２０より小とし、手首及び親指固定用の捲回固定帯捲回固定帯の下方部と連結部が交わる角度θの数値範囲が、７０°〜１１０°としたことを特徴とする手首及び親指固定用の捲回固定帯捲回固定帯。
【請求項１２】
ゴムシート材側の上端部及び下端部に、係着用面ファスナーを貼着又は縫着し、前記手首及び親指固定用の捲回固定帯の上端部から下端部までの長さを、約２２ｃｍ〜２４ｃｍとし、上方部の長さは下方部の長さより小とし、上方部及び下方部の巾寸法を約３ｃｍ〜５ｃｍとし、上方部と下方部の連結部の巾寸法を約４ｃｍ〜６ｃｍとしたことを特徴とする、請求項１1記載の手首及び親指固定用の捲回固定帯捲回固定帯。
【請求項１３】
前前記手首及び親指固定用の捲回固定帯の上方部と連結部、連結部と下方部の結合部における隅部を曲線又は円弧状に形成したことを特徴とする、請求項１１〜１２載の手首及び親指固定用の捲回固定帯捲回固定帯。
【発明の詳細な説明】
【技術分野】
【０００１】
本発明は、整形外科的治療及び予防等を目的とした装具の分野に属し、捲回用シート及びこれを用いた人体部位捲回固定帯に係り、詳しくは、人体部位における足関節、手首及び親指等の外傷治療、発生予防、再発防止等を目的に、当該部位を捲回固定するために好適な、捲回用シート及びこれを用いた人体部位捲回固定帯に関する。
【背景技術】
【０００２】
従来より、人体特に、足関節、手首及び親指等外傷の治療、患部の固定や圧迫等の応急処置又は各種スポーツ、例えば、登山、トレッキング等の比較的静的スポーツをはじめ、サッカー、ラグビー、アメリカンフットボール等競技者間による強烈なコンタクトが多い動的スポーツにいたるまで、骨折、捻挫、肉離れ、アキレス腱断裂、突き指等は頻繁に発生しており、受傷した場合はもちろん、その予防や再発防止のために、ギブス、副木を含み主に、テーピングテープ、バンデージ、サポーター等が使用されている。
【０００３】
しかしながら、足関節、手首及び親指等の外傷治療、発生予防、再発防止等を目的とした、人体部位を捲回する固定帯等に好適な捲回用シートは、未だ開発、提案されてはいないというのが現状である。
【０００４】
粘着剤付きテーピングテープで捲回、固定するに際しては、足首の固定が強くなりすぎる傾向があり、通常の歩行、運動が困難となるばかりか、体表面に直接捲回すると、粘着剤によるかぶれや、摺擦による苦痛を伴い、バンデージは患部に追従し易く、使用者自身による固定力を調整しながら捲回できるが、その捲回作業に習熟していないと曲面部等特に踵、踝部（くるぶしぶ）の固定は難かしく、歩行中にずれてしまい、足首の保護ができない。足関節用サポーターとしては、足首に対する確実な固定を目的とした種々のものが提案され、例えば、特開２００４−１４７８６７、特開２００４−６８１９４、特開２００１−１４９５１９、登録実用新案第３０７３４０８号等がある。
【０００５】
特開２００４−１４７８６７は、足首全体を覆う柔軟性のある素材からなるサポータと、サポータ本体の上から脚の足首を両側より被覆する円弧状に湾曲した一対の固定部と、固定部に装着される側面に固着部の設けられた足裏付近まで延びたトレンカと、トレンカを固定部に揺動自在に係合させるヒンジ部と、サポータ本体の外側に左右のくるぶしから足裏略中央部に達する袋状に縫いつけられた固着部に設けられた収納保護部と固定部とサポータ本体とを脚に装着するバンド部とからなり、トレンカの固着部と収納保護部の固着部とを固着接合する構成であることを特徴としている。しかしながら、上記、特開２００４−１４７８６７は、痛みの伴わない装着感と高い保持効果があると思われるが、部品点数も多く、また不使用時には収納スペースを必要とする。また、左右両足それぞれのサポート器具を製作する必要があった。
【０００６】
特開２００４−６８１９４は、距腿部及び踵部を含め、踝（くるぶし）の上端近傍から舟状骨および立方骨近傍までの領域を覆う本体１と、本体１の踵部に対応する部分に前距腿部近傍への方向の張力を与える手段７，８を備え、本体１の踵部に対応する部分は非伸縮性の領域６を含む、ことを特徴としているが、歩行等によりずれが起きることは否めないし、構造が複雑で製作コストが高価となる。  
【０００７】
特開２００１−１４９５１９は、外くるぶしを覆い、足甲と足首を巻いて固定する伸縮性のないバンドで靴下の上から装着し、登山靴と併用することを特徴とする。しかしこの発明では、足甲バンド１、足首バンド２、くるぶし被覆部４ａ、４ｂで外果部の捻挫は防止できても、内果部の捻挫は防止できないという欠点がある。また、左右一対の捻挫防止保護バンドを用意しなければならなかった。
【０００８】
また登録実用新案第３０７３４０８号の足関節用サポーターは、筒状のサポーター本体１の異なった高さの位置に取り付けられた複数の細長帯状固定ベルト２を、サポーター本体１に設けられた固定ベルト挿通孔に挿通され、固定ベルト２の先端部分と、サポーター本体１の外果側部分に設けられたベルベット式ファスナー４により、固定ベルト２を外果側に折り返す際に固定ベルト２の先端部分がサポーター本体１の外果側１の位置で固定できるようになっている。しかしながらこの考案は、複数の細長帯状固定ベルト２を緊張したり緩和しなければならないので、着脱が面倒な上、挿通孔に塵埃等がつまり固定ベルト２の円滑な着脱が困難となり、長期の使用に耐えられない。上記の特開２００１−１４９５１９と同様に、左右一対の足関節用サポーターが必要であった。
【０００９】
手首及び親指等外傷の治療、患部の固定や圧迫等を目的とした、特表２００３−５３０９１０が開示されている。この発明は、長形でフレキシブルな内側クッション層と、内側クッション層に重ねられ、硬化成型された形状を保持することができる湿気硬化性樹脂材で含浸処理されている布体を含んだ当初フレキシブルな中間層と、中間層に重ねられ、内側層と縁部で接合されて中間層を挟持収容し、中間層及び内側層と共に１体型副木構造体を提供する内側層とを含んだ構成とされている。しかしこの発明は、素材が多岐に亘り、構造が複雑であり、各部材の製作工程が多くまた、コスト高となり、実用的ではない。また、左右別々に製作しなければならなかった。
【特許文献１】特開２００４−１４７８６７号公報
【特許文献２】特開２００４−６８１９４号公報
【特許文献３】特開２００１−１４９５１９号公報
【特許文献４】登録実用新案第３０７３４０８号公報
【特許文献５】特表２００３−５３０９１０号公報  特許文献１〜特許文献４は、足のサポーターに関する特許文献であり、特許文献５は、手に関するサポーターの特許文献である。
【発明の開示】
【発明が解決しようとする課題】
【００１０】
本発明が解決しようとする課題は、人体部位における足関節、手首及び親指等の外傷治療、発生予防、再発防止等のために、当該部位を簡便に捲回固定するために好適な、捲回用シート及びこれを用いた人体部位捲回固定帯を提供することである。
本発明が解決しようとする第一課題は、具体的には、部品点数を極力少なくしてシンプルでかつ左右同形の足関節部位固定用の捲回固定帯（手首及び親指固定用の捲回固定帯）を提供することである。
発明者は、先行特許文献を読んで気がついたことであるが、サポーターは全て左右対称のサポーターであって、左右同系のサポーターを提供することができれば、２倍の量産効果が発揮されコストダウンに繋がることに気が付いて、上記第一課題を発見することができた。
＜本発明に対する阻害要因＞
当業者は、足は左右対称形であるので、足に用いるサポーターも、左右対称のサポーターである必要があるいう先入観に捕らわれているので、本発明の特徴的構成要件である左右対称形のＴ字形のサポーターを１種類作成した上で、右足には、右足のサポーターの巻き方をし、右足には、左足のサポーターの巻き方の工夫をしすれば、Ｔ字形のサポーターは１種類で済むということの発想は非常に困難であった。
【課題を解決するための手段】
【００１１】
発明が解決しようとする課題を解決すべく、鋭意研究を重ねた結果、本発明を完成させた。
課題を解決するための手段は、特許請求の範囲の各請求項記載の発明をいう。
［請求項１］記載発明
人体の関節部位に装着される捲回用シートからなる足関節部位固定用の捲回固定帯において、
表面側のシート状起毛部材に、裏面側部材としてゴムシート材を張合し、接着剤により貼着した当該捲回用シートを略Ｔ定規形に裁断してなり、かつ、捲回用シートが垂直部の中心線Ｃで左右対称形状であり、Ｌ２／Ｌ１が２．０以上１０．０以下であることを特徴とする足関節部位固定用の捲回固定帯。
ここに、Ｌ１：捲回固定帯の水平部の長さ（ｃｍ）
Ｌ２：捲回固定帯の垂直部の長さ（ｃｍ）
［請求項２］記載発明
前記シート状起毛部材が、天然繊維、合成繊維、不織布又はパイル生地を素材としていることを特徴とする、請求項１記載の足関節部位固定用の捲回固定帯。
［請求項３］記載発明
前記ゴムシート材が、ネオプレンゴムシートであることを特徴とする、請求項１記載の足関節部位固定用の捲回固定帯。
［請求項４］記載発明
前記シート状起毛部材とゴムシート材を貼着する接着剤が、ゴム系接着剤又はウレタン系接着剤であることを特徴とする、請求項１〜請求項３記載の足関節部位固定用の捲回固定帯。
［請求項５］記載発明
前記シート状起毛部材の厚さを約０．０８ｍｍ〜０．２ｍｍ、ゴムシート材を約０．４ｍｍ〜０．６ｍｍとしたことを特徴とする、請求項１〜請求項４記載の足関節部位固定用の捲回固定帯。
［請求項６］記載発明
前記捲回用シートの全面に微細孔を穿設したことを特徴とする、請求項１〜請求項５記載の足関節部位固定用の捲回固定帯。
［請求項７］記載発明
前記捲回用シートの捲回用シートを略Ｔ定規形に裁断してなり、かつ、捲回用シートが垂直部の中心線Ｃで左右対称形状であり、Ｌ２／Ｌ１が３．０以上４．０以下であることを特徴とする請求項１〜請求項６記載の足関節部位固定用の捲回固定帯。
ここに、Ｌ１：捲回固定帯の水平部の長さ（ｃｍ）
Ｌ２：捲回固定帯の垂直部の長さ（ｃｍ）
［請求項８］記載発明
前記捲回固定帯の水平部四隅と該水平部下端に交叉する垂直部の二隅を円弧状としていることを特徴とする、請求項７記載の足関節部位固定用の捲回固定帯。
［請求項９］記載発明
前記捲回固定帯におけるゴムシート材側の水平部両端及び垂直部下方に設けた終端部に、係着用面ファスナーを貼着又は縫着したことを特徴とする、請求項７及び請求項８記載の足関節部位固定用の捲回固定帯。
［請求項１０］記載発明
前記捲回固定帯の垂直部下端までの長さＬ２を、約８３ｃｍ〜８７ｃｍ、終端部を約１５ｃｍ〜１７ｃｍとし、水平部の長さＬ１を約２５ｃｍ〜２９ｃｍとし、水平部の巾寸法を約６ｃｍ〜８ｃｍとし、垂直部の巾寸法を約５ｃｍ〜７ｃｍ、終端部の巾寸法を垂直部の巾寸法より小としたことを特徴とする、請求項７〜請求項９記載の足関節部位固定用の捲回固定帯。
［請求項１１］記載発明
人体の関節部位に装着される捲回用シートからなる手首及び親指固定用の捲回固定帯捲回固定帯において、
表面側のシート状起毛部材に、裏面側部材としてゴムシート材を張合し、接着剤により貼着した当該捲回用シートからなる手首及び親指固定用の捲回固定帯捲回固定帯において、上方部を親指捲回用、下方部を手首捲回用として概略クランク状の平面形に裁断してなり、上方部の長さＬ１０は下方部の長さＬ２０より小とし、手首及び親指固定用の捲回固定帯捲回固定帯の上方部と連結部が交わる角度θ１の数値範囲が、９０°〜１１０°としたことを特徴とする手首及び親指固定用の捲回固定帯捲回固定帯。
［請求項１２］記載発明
ゴムシート材側の上端部及び下端部に、係着用面ファスナーを貼着又は縫着し、前記手首及び親指固定用の捲回固定帯の上端部から下端部までの長さを、約２２ｃｍ〜２４ｃｍとし、上方部の長さは下方部の長さより小とし、上方部及び下方部の巾寸法を約３ｃｍ〜５ｃｍとし、上方部と下方部の連結部の巾寸法を約４ｃｍ〜６ｃｍとしたことを特徴とする、発明１３の手首及び親指固定用の捲回固定帯捲回固定帯。
［請求項１３］記載発明
前記手首及び親指固定用の捲回固定帯の上方部と連結部、連結部と下方部の結合部における隅部を曲線又は円弧状に形成したことを特徴とする、請求項１１〜１２記載の手首及び親指固定用の捲回固定帯捲回固定帯。
＊  ＊＊＊＊＊＊＊＊＊＊＊＊＊＊＊＊＊＊＊＊＊＊＊＊＊＊＊＊＊＊＊＊＊
［請求項１］記載発明は、「発明１」の捲回用シートを用いた「発明７」の足関節部位固定用の捲回固定帯である。
［請求項２］記載発明は、「発明２」の捲回用シートを用いた「発明７」の足関節部位固定用の捲回固定帯である。
［請求項３］記載発明は、「発明３」の捲回用シートを用いた「発明７」の足関節部位固定用の捲回固定帯である。
［請求項４］記載発明は、「発明４」の捲回用シートを用いた「発明７」の足関節部位固定用の捲回固定帯である。
［請求項５］記載発明は、「発明５」の捲回用シートを用いた「発明７」の足関節部位固定用の捲回固定帯である。
［請求項６］記載発明は、「発明６」の捲回用シートを用いた「発明７」の足関節部位固定用の捲回固定帯である。
［請求項７］記載発明は、「発明１」の捲回用シートを用いた「発明７」の足関節部位固定用の捲回固定帯である。
［請求項８］記載発明は、「発明８」の足関節部位固定用の捲回固定帯である。
［請求項９］記載発明は、「発明９」の足関節部位固定用の捲回固定帯である。
［請求項１０］記載発明は、「発明１０」の足関節部位固定用の捲回固定帯である。
＊＊＊＊＊＊＊＊＊＊＊＊＊＊
［請求項１１］記載発明は、「発明１３」の手首及び親指固定用の捲回固定帯捲回固定帯である。
［請求項１２］記載発明は、「発明１４」の手首及び親指固定用の捲回固定帯捲回固定帯である。
［請求項１３］記載発明は、「発明１５」の手首及び親指固定用の捲回固定帯捲回固定帯である。
＊＊＊＊＊＊＊＊＊＊＊＊＊＊＊＊＊＊＊＊＊＊＊＊＊＊＊＊＊＊＊＊＊＊＊
課題を解決するための手段は、具体的には、以下の発明である。
［発明１］
人体の関節部位に装着される捲回用シートであって、
表面側のシート状起毛部材に、裏面側部材としてゴムシート材を張合し、接着剤により貼着したことを特徴とする、捲回用シート。
［発明２］
前記シート状起毛部材が、天然繊維、合成繊維、不織布又はパイル生地を素材としていることを特徴とする、発明１記載の捲回用シート。
［発明３］
前記ゴムシート材が、ネオプレンゴムシートであることを特徴とする、発明１記載の捲回用シート。
［発明４］
前記シート状起毛部材とゴムシート材を貼着する接着剤が、ゴム系接着剤又はウレタン系接着剤であることを特徴とする、発明１〜発明３記載の捲回用シート。
［発明５］
前記シート状起毛部材の厚さを約０．０８ｍｍ〜０．２ｍｍ、ゴムシート材を約０．４ｍｍ〜０．６ｍｍとしたことを特徴とする、発明１〜発明４記載の捲回用シート。
上記記載の寸法範囲は、寸断等により適宜変更することが出来るものとする。
［発明６］
前記捲回用シートの全面に微細孔を穿設したことを特徴とする、発明１〜発明５記載の捲回用シート。
［発明７］
前記捲回用シートの捲回用シートを略Ｔ定規形に裁断してなり、かつ、捲回用シートが垂直部の中心線Ｃで左右対称形状であり、Ｌ２／Ｌ１が３．０以上４．０以下であることを特徴とする足関節部位固定用の捲回固定帯。
ここに、Ｌ１：捲回固定帯の水平部の長さ（ｃｍ）
Ｌ２：捲回固定帯の垂直部の長さ（ｃｍ）
［発明８］
前記捲回固定帯の水平部四隅と該水平部下端に交叉する垂直部の二隅を円弧状としていることを特徴とする、発明７記載の足関節部位固定用の捲回固定帯。  
［発明９］
前記捲回固定帯におけるゴムシート材側の水平部両端及び垂直部下方に設けた終端部に、係着用面ファスナーを貼着又は縫着したことを特徴とする、発明７及び発明８記載の足関節部位固定用の捲回固定帯。
［発明１０］
前記捲回固定帯の水平部上端から垂直部下端までの長さを、約８３ｃｍ〜８７ｃｍ、終端部を約１５ｃｍ〜１７ｃｍとし、水平部の長さを約２５ｃｍ〜２９ｃｍとし、水平部の巾寸法を約６ｃｍ〜８ｃｍとし、垂直部の巾寸法を約５ｃｍ〜７ｃｍ、終端部の巾寸法を垂直部の巾寸法より小としたことを特徴とする、発明７〜発明９記載の足関節部位固定用の捲回固定帯。
［発明１１］
前記捲回用シートにおいて、上方部を親指捲回用、下方部を手首捲回用として概略クランク状の平面形に裁断してなる、手首及び親指固定用の捲回固定帯。
［発明１２］
前記手首及び親指固定用の捲回固定帯におけるゴムシート材側の上端部及び下端部に、係着用面ファスナーを貼着又は縫着したことを特徴とする、発明１１記載の手首及び親指固定用の捲回固定帯。  
［発明１３］
人体の関節部位に装着される捲回用シートであって、
表面側のシート状起毛部材に、裏面側部材としてゴムシート材を張合し、接着剤により貼着した当該捲回用シートからなる手首及び親指固定用の捲回固定帯捲回固定帯において、上方部を親指捲回用、下方部を手首捲回用として概略クランク状の平面形に裁断してなり、上方部の長さＬ１０は下方部の長さＬ２０より小とし、手首及び親指固定用の捲回固定帯捲回固定帯の下方部と連結部が交わる角度θの数値範囲が、７０°〜１１０°としたことを特徴とする手首及び親指固定用の捲回固定帯捲回固定帯。
［発明１４］
ゴムシート材側の上端部及び下端部に、係着用面ファスナーを貼着又は縫着し、前記手首及び親指固定用の捲回固定帯の上端部から下端部までの長さを、約２２ｃｍ〜２４ｃｍとし、上方部の長さは下方部の長さより小とし、上方部及び下方部の巾寸法を約３ｃｍ〜５ｃｍとし、上方部と下方部の連結部の巾寸法を約４ｃｍ〜６ｃｍとしたことを特徴とする、発明１３記載の手首及び親指固定用の捲回固定帯捲回固定帯。
上記記載の寸法範囲は、寸断等により適宜変更することが出来るものとする。
［発明１５］
前前記手首及び親指固定用の捲回固定帯の上方部と連結部、連結部と下方部の結合部における隅部を曲線又は円弧状に形成したことを特徴とする、発明１３〜発明１４記載の手首及び親指固定用の捲回固定帯。
＊＊＊＊＊＊＊＊＊＊＊＊＊＊＊＊＊＊＊＊＊＊＊＊＊＊＊＊＊＊＊＊＊＊＊＊＊＊
以下、本願特許請求の範囲、本願明細書において用いる用語の解釈上の疑義を解消するべく、以下用語の定義又は説明をすることとする。
○シート状起毛部材とは、天然繊維の綿、合成繊維はポリエステル、アクリル等の素材を織布、編布又は不織布に、パンチニードル等の公知技術により、起毛を生起させたものをいう。捲回用シートの表面前面をシート状起毛部材とすることにより、係着用面ファスナーと任意の場所において噛み合わせることができる。
○捲回用シートとは、捲回固定帯に用いるシートをいう。捲回用シートは、表面側のシート状起毛部材に、裏面側部材としてゴムシート材を張合し、接着剤により貼着されている。
○捲回固定帯とは、いわゆる包帯状のサポーターをいう。
○Ｔ定規形とは、平面状であってＴ字形をしている様をいう（図１を参照）。
○クランク状の平面形とは、平面状であって図５、図６のようにクランク形状をしている様をいう。
○本発明において、表面側とは、人体各部位の体表面（皮膚）に非接触領域をいい、裏面側とは人体各部位の体表面（皮膚）に直接接触するか又は接触する可能性のある領域をいう。
○係着用面ファスナーとは、マジックテープ（登録商標）の鈎状雄部材をいい、シート状起毛部材をメスにして、面的に噛み合わせることができる。
○捲回固定帯の水平部（単に、水平部ともいう。）とは、略Ｔ定規形に裁断した捲回用シートのＴ定規形のＴ字文字の横棒部分をいう（図２を参照）。
○捲回固定帯の垂直部（単に、垂直部ともいう。）とは、略Ｔ定規形に裁断した捲回用シートのＴ定規形のＴ字文字の縦棒部分をいう（図２を参照）。
捲回固定帯の重複部とは、捲回固定帯の水平部であり、かつ捲回固定帯の垂直部である重複部分をいう。
○捲回固定帯の水平部の長さＬ１（単に、水平部の長さＬ１ともいう。）とは、略Ｔ定規形に裁断した捲回用シートのＴ定規形のＴ字文字の横棒部分の長さをいう（図２を参照）。
○捲回固定帯の垂直部の長さＬ２（単に、垂直部の長さＬ２ともいう。）とは、略Ｔ定規形に裁断した捲回用シートのＴ定規形のＴ字文字の縦棒部分の長さをいう（図２を参照）。
○捲回固定帯の水平部の巾寸法Ｗ１（単に、水平部の巾寸法Ｗ１ともいう。）とは、略Ｔ定規形に裁断した捲回用シートのＴ定規形のＴ字文字の横棒部分の巾寸法をいう（図２を参照）。
○捲回固定帯の垂直部の巾寸法Ｗ２（単に、垂直部の巾寸法Ｗ２ともいう。）とは、略Ｔ定規形に裁断した捲回用シートのＴ定規形のＴ字文字の縦棒部分の巾寸法をいう（図２を参照）。
○本願発明においては、Ｌ２／Ｌ１の下限は、２．０以上、あるいは２．５以上、あるいは３．０以上であり、Ｌ２／Ｌ１の下限は、１０．０以下、あるいは５．０以下、あるいは、４．５以下、あるいは、４．０以下、あるいは３．５以上である。
ここに、Ｌ１：捲回固定帯の水平部の長さ（ｃｍ）
Ｌ２：捲回固定帯の垂直部の長さ（ｃｍ）
○終端部とは、捲回固定帯におけるゴムシート材側の水平部両端及び垂直部下方に設けた部分をいい、当該終端部に係着用面ファスナーを貼着又は縫着する。
○Ｌ１０は、手首及び親指固定用の捲回固定帯捲回固定帯の上方部の長さＬ１０（単に、上方部の長さＬ１０ともいう。）である。
○Ｌ２０は、手首及び親指固定用の捲回固定帯捲回固定帯の下方部の長さＬ２０（単に、上方部の長さＬ２０ともいう。）である。
○Ｌ２０／Ｌ１０の下限は、１以上、あるいは、１．５以上であり、上限は、３．０以下、あるいは２．５以下、あるいは２．０以下である。
ここに、Ｌ１０：手首及び親指固定用の捲回固定帯捲回固定帯の上方部の長さ（ｃｍ）
Ｌ２０：手首及び親指固定用の捲回固定帯捲回固定帯の下方部の長さ（ｃｍ）
○上方部と下方部の連結部（単に、連結部ともいう。）とは、上方部と下方部を連結する部分をいう。
○交点Ｐとは、手首及び親指固定用の捲回固定帯捲回固定帯の下方部（あるいは上方部）の長手方向と連結部（上方部と下方部の連結部）の長手方向が交わる点をいう。
○角度θとは、手首及び親指固定用の捲回固定帯捲回固定帯の下方部（あるいは上方部）の長手方向と連結部（上方部と下方部の連結部）の長手方向が交わる角度θをいう（図５、図６を参照）。
角度θ（θ１、θ２）の数値範囲は、７０°〜１１０°、あるいは、７５°〜１０５°、あるいは７５°〜１０５°である。上記に置いて両端の数値は上記数値範囲に含まれるものとする。
上記において（以下、図５、図６を参照）、
上方部の長手方向とは、上方部の中心線Ｌｃ１０（上方部の巾の中心点の軌跡）の方向を表わし、上方部の中心線が曲線Ｌｃ１０を描くときは、交点Ｐ付近の上方部の中心線の方向を表わす。
下方部の長手方向とは、下方部の中心線Ｌｃ２０（下方部の巾の中心点の軌跡）の方向を表わし、下方部の中心線が曲線Ｌｃ２０を描くときは、交点Ｐ付近の下方部の中心線の方向を表わす（下方部の中心線Ｌｃ２０は、図示せず。）。
連結部（上方部と下方部の連結部）の長手方向とは、連結部の中心線Ｌｃｃ（連結部の巾の中心点の軌跡）の方向を表わし、連結部の中心線Ｌｃｃが曲線を描くときは、交点Ｐ付近の連結部の中心線の方向を表わす。
上記において、角度θとは、手首及び親指固定用の捲回固定帯捲回固定帯の上方部（あるいは下方部）の長手方向Ｌｃ１０（あるいはＬｃ２０）と連結部（上方部と下方部の連結部）の長手方向Ｌｃｃが交わる角度θ１（あるいはθ２）をいう。
＊＊＊＊＊＊＊＊＊＊＊＊＊＊＊＊＊＊＊＊＊＊＊＊＊＊＊＊＊＊＊＊＊＊＊＊＊＊
【００１２】
○上記の課題を解決するための発明１は、人体の関節部位に装着される捲回用シートであって、表面側のシート状起毛部材に、裏面側部材としてゴムシート材を張合し、接着剤により貼着したことを特徴としている。
【００１３】
○発明２は、上記の課題を解決するための発明１において、前記シート状起毛部材が、天然繊維、合成繊維、不織布又はパイル生地を素材としていることを特徴としている。
【００１４】
○発明3は、上記の課題を解決するための発明１〜発明2において、前記ゴムシート材が、ネオプレンゴムシートであることを特徴としている。
【００１５】
○発明４は、上記の課題を解決するための発明１〜発明3において、前記シート状起毛部材とゴムシート材を貼着する接着剤が、ゴム系接着剤又はウレタン系接着剤であることを特徴としている。
【００１６】
○発明５は、上記の課題を解決するための発明１〜発明4において、前記シート状起毛部材の厚さを約０．０８ｍｍ〜０．２ｍｍ、ゴムシート材を約０．４ｍｍ〜０．６ｍｍとしたことを特徴としている。
【００１７】
○発明６は、上記の課題を解決するための発明１〜発明５において、前記捲回用シートの全面に微細孔を穿設したことを特徴としている。
【００１８】
○発明７は、上記の課題を解決するために、当該捲回用シートを略Ｔ定規形に裁断してなり、かつ、捲回用シートが垂直部の中心線Ｃで左右対称形状であり、Ｌ２／Ｌ１が２．０以上１０．０以下であることを特徴とする足関節部位固定用の捲回固定帯であることを特徴としている。
ここに、Ｌ１：捲回固定帯の水平部の長さ（ｃｍ）
Ｌ２：捲回固定帯の垂直部の長さ（ｃｍ
【００１９】
○発明８は、上記の課題を解決するために、発明７において、前記捲回固定帯の水平部四隅と該水平部下端に交叉する垂直部の二隅を円弧状としていることを特徴としている。
【００２０】
○発明９は、上記の課題を解決するために、発明７〜発明８において、前記捲回固定帯におけるゴムシート材側の水平部両端及び垂直部下方に設けた終端部に、係着用面ファスナーを貼着又は縫着したことを特徴としている。
【００２１】
○発明１０は、上記の課題を解決するために、発明７〜発明９において、
前記捲回固定帯の水平部上端から垂直部下端までの長さを、約８３ｃｍ〜８７ｃｍ、終端部を約１５ｃｍ〜１７ｃｍとし、水平部の長さを約２５ｃｍ〜２９ｃｍとし、水平部の巾寸法を約６ｃｍ〜８ｃｍとし、垂直部の巾寸法を約５ｃｍ〜７ｃｍ、終端部の巾寸法を垂直部の巾寸法より小としたことを特徴としている。
【００２２】
○発明１１は、上記の課題を解決するために、前記捲回用シートにおいて、上方部を親指捲回用、下方部を手首捲回用として概略クランク状の平面形に裁断してなることを特徴としている。
【００２３】
○発明１２は、上記の課題を解決するために、発明１１において、前記手首及び親指固定用の捲回固定帯におけるゴムシート材側の上端部及び下端部に、係着用面ファスナーを貼着又は縫着したことを特徴としている。
【００２４】
○発明１３は、上記の課題を解決するために、発明１１〜発明１２において、  人体の関節部位に装着される捲回用シートからなる手首及び親指固定用の捲回固定帯捲回固定帯において、
表面側のシート状起毛部材に、裏面側部材としてゴムシート材を張合し、接着剤により貼着した当該捲回用シートからなる手首及び親指固定用の捲回固定帯捲回固定帯において、上方部を親指捲回用、下方部を手首捲回用として概略クランク状の平面形に裁断してなり、上方部の長さＬ１０は下方部の長さＬ２０より小とし、手首及び親指固定用の捲回固定帯捲回固定帯の上方部と連結部が交わる角度θ１の数値範囲が、９０°〜１１０°としたことを特徴とする手首及び親指固定用の捲回固定帯捲回固定帯。
【００２５】
○発明１４は、上記の課題を解決するために、発明１１〜発明１３において、ゴムシート材側の上端部及び下端部に、係着用面ファスナーを貼着又は縫着し、前記手首及び親指固定用の捲回固定帯の上端部から下端部までの長さを、約２２ｃｍ〜２４ｃｍとし、上方部の長さは下方部の長さより小とし、上方部及び下方部の巾寸法を約３ｃｍ〜５ｃｍとし、上方部と下方部の連結部の巾寸法を約４ｃｍ〜６ｃｍとしたことを特徴としている。
○発明１5は、上記の課題を解決するために、発明１１〜発明１4において、前前記手首及び親指固定用の捲回固定帯の上方部と連結部、連結部と下方部の結合部における隅部を曲線又は円弧状に形成したことを特徴としている。
【発明の効果】
【００２６】
本発明において、表面側とは、人体各部位の体表面（皮膚）に非接触領域をいい、裏面側とは人体各部位の体表面（皮膚）に直接接触するか又は接触する可能性のある領域をいう。
また係着用面ファスナーとは、例えば、マジックテープ（登録商標）のような鈎状雄部材をいう。
【００２７】
本発明に係る、捲回用シート及びこれを用いた人体部位捲回固定帯は、以下の効果を奏する。即ち発明１〜発明３によれば、捲回用シートは、表面側を天然繊維、合成繊維、不織布又はパイル生地を素材とした織布、編布又は不織布に公知技術による起毛を生起させたシート状起毛部材とし、裏面側部材としてネオプレンゴムシート等のゴムシート材を重合し、接着剤により貼着した構成であり、これにより、捲回用シートは、適度の柔軟性、延伸性及び弾力性を有するので、人体各部位の体表面に当接したとき、追従感、適度の圧迫感、操作性等を備えたシート体であり、裁断、縫製加工等も容易である。
【００２８】
発明４によれば、シート状起毛部材とゴムシート材を貼着する接着剤としてブタジエン・スチレンゴムやプチルゴム等のゴム系接着剤、ウレタン系接着剤としてはポリウレタンを使用するが、どちらの接着剤もシート状起毛部材とゴムシート材に馴染み易く、かつ接着性が非常に良好なので作業効率が高められる。
【００２９】
発明５及び発明６によれば、前記シート状起毛部材の厚さを約０．０８ｍｍ〜０．２ｍｍ、ゴムシート材を約０．４ｍｍ〜０．６ｍｍとし、シート体の全面に微細孔を穿設しているので、全体の厚みが１ｍｍにも満たない薄厚シート体として、人体の体表面特に曲面に沿って自在に変形するので使用感に優れ、またシート体の全面に微細孔を穿設しているので、軽量化され、通気性が向上する。
【００３０】
発明７によれば、捲回用シートを、平面視、略Ｔ定規形に裁断してなり、かつ、捲回用シートが垂直部の中心線Ｃで左右対称形状であり、Ｌ２／Ｌ１が２．０以上１０．０以下であるので、関節部位固定用の捲回固定帯を１種類制作すれば、それは左右両足いずれにも装着可能であるという当業者予測不可能な顕著な効果を奏する。
特に、Ｌ２／Ｌ１が２．０以上１０．０以下の特徴的構成要件は、水平部は足首を捲回するのに用いられ、垂直部は内果部を経て足底から外果部、足甲を捲回して、足首とアキレス腱を捲回して再び足甲と内果部を経て足底を捲回し、さらに外果部を経て足甲を捲回するのに用いられることを表現している。
具体的には、以下の右足巻き方手順で、足関節部位固定用の捲回固定帯を右足に装着することができる（図７を参照）。
（１）足関節特に右足首を固定帯の水平部で捲回し、該水平部の一端に設けた面ファスナーで係着後、
（２）垂直部上端を右足首内側部に当接し、内果部を経て足底から外果部、右足甲を捲回して、右足首とアキレス腱を捲回して再び右足甲と内果部を経て足底を捲回し、さらに外果部を経て右足甲を捲回し、垂直部の下端部に設けた面ファスナーを起毛部材の起毛面に押圧し係着する。
＊＊＊＊＊＊＊＊＊＊＊＊＊＊＊＊＊＊＊＊＊＊＊＊＊＊＊＊＊＊＊＊＊＊
具体的には、以下の左足巻き方手順で、足関節部位固定用の捲回固定帯を左足に装着することができる（図７を裏側から透かして見た図（添付省略）を参照））。
（１）足関節特に左足首を固定帯の水平部で捲回し、該水平部の一端に設けた面ファスナーで係着後、
（２）垂直部上端を左足首内側部に当接し、内果部を経て足底から外果部、左足甲を捲回して、左足首とアキレス腱を捲回して再び左足甲と内果部を経て足底を捲回し、さらに外果部を経て左足甲を捲回し、垂直部の下端部に設けた面ファスナーを起毛部材の起毛面に押圧し係着する。
＜本発明に対する阻害要因＞
当業者は、足は左右対称形であるので、足に用いるサポーターも、左右対称のサポーターである必要があるいう先入観に捕らわれているので、本発明の特徴的構成要件である左右対称形のＴ字形のサポーターを１種類作成した上で、右足には、右足のサポーターの巻き方をし、右足には、左足のサポーターの巻き方の工夫をしすれば、Ｔ字形のサポーターは１種類で済むということの発想は非常に困難であった。
かかる阻害要因があったのであるが、右足には、右足のサポーターの巻き方をし、右足には、左足のサポーターの巻き方の工夫をしすれば、Ｔ字形のサポーターは１種類で済むことが実証された。
上記から、本発明は、関節部位固定用の捲回固定帯を１種類制作すれば、それは左右両足いずれにも装着可能であるという当業者予測不可能な顕著な効果を奏することができた。
【００３１】
発明８〜発明１０によれば、水平部四隅と該水平部下端に交叉する垂直部の二隅を円弧状としているので、捲回作業が円滑に一人で行うことができ、使用頻度が多くなっても水平部四隅が解れたり、反り返ることがないので、体裁上も美麗で、また垂直部下端部に設けた、係着用面ファスナーを介して使用者が所望の部位に係着することができ、また不使用時は、該下端部から表面部を内側にして順次上方に巻き上げ、水平部の一端に設けた係着用面ファスナーで、表面側の起毛部に押圧して係着し、コンパクトなロール状にして収納可能になるとともに、携行に簡便であり、さらに洗濯機等で容易に洗浄することができ、常に清潔さを保持できる。
【００３２】
○発明１１によれば、全体の形状が、平面視概略クランク状に裁断されてなり、親指の捲回及び手首の捲回作業が一人で円滑に、かつ短時間ででき、部材の特性である柔軟性、伸縮性等による快適なフィット感を与える。
○発明１２によれば、前記手首及び親指固定用の捲回固定帯におけるゴムシート材側の上端部及び下端部に、係着用面ファスナーを貼着又は縫着したので、サポーターを一人で簡単に装着・脱着することが可能である。
【００３３】
○発明１３によれば、上方部を親指捲回用、下方部を手首捲回用として概略クランク状の平面形に裁断してなり、上方部の長さＬ１０は下方部の長さＬ２０より小とし、手首及び親指固定用の捲回固定帯捲回固定帯の下方部と連結部が交わる角度θ１の数値範囲が、７０°〜１１０°としたことを特徴とする手首及び親指固定用の捲回固定帯捲回固定帯としているので、特に、手首及び親指固定用の捲回固定帯捲回固定帯の下方部と連結部が交わる角度θ１の数値範囲が、７０°〜１１０°すなわち、９０°に近い値としているので、親指の長手方向に力が作用し、親指の横方向（親指の長手方向の垂直方向）から力を受けないので、親指を捻じ曲げるような力が働くのを防止するという顕著な効果を有する。
また、上端部及び下端部に、係着用面ファスナーを縫着しているので、左右の両手首及び左右手の親指いずれにも装着が可能であり、また上方部と下方部の長さ寸法に差異があるので、手首用と親指用の装着を間違えることがない。
○発明１４は、手首及び親指固定用の捲回固定帯捲回固定帯の寸法関係を具体的に記載したもので、手首及び親指固定用の捲回固定帯捲回固定帯の制作が容易になった。
○発明１5によれば、隅部を曲線又は円弧状に形成しているので、サポーターのエッジが当って人体に痛みを感じさせることがない。
【発明を実施するための最良の形態】
【００３４】
以下、本発明に係る、捲回用シート及びこれを用いた人体部位捲回固定帯の、好適な実施形態について添付の図面に基づいて詳細に説明する。図１は本発明に係る捲回用シートの構造を示す断面図、図２は人体部位捲回固定帯における、足関節用捲回固定帯の平面図、図３は図２におけるＡ部の拡大側面図、図４は同図２におけるＢ部の拡大側面図、図５は人体部位捲回固定帯における、右手首及び親指固定用捲回固定帯の実施態様を示す平面図、図６図は左手首及び左親指固定用捲回固定帯の実施態様を示す平面図、図７（イ）〜（リ）は、足関節用捲回固定帯の装着手順説明図、図８（オ）〜（レ）は、右手首及び右親指固定用捲回固定帯の装着手順説明図、図９（ソ）〜（ム）は、左手首及び左親指固定用捲回固定帯の装着手順説明図である。
【００３５】
図１に示す、Ｓは捲回用シートであり、１はシート状起毛部材で、その素材としては天然繊維の綿、合成繊維はポリエステル、アクリル等が好適で、これを織布、編布又は不織布に、パンチニードル等の公知技術により、起毛１ａを生起させたもので、該起毛１ａと反対面にゴム系接着剤２、例えば、ブタジエン・スチレンゴムやプチルゴム等を、全面に塗布し、これにネオプレンゴムシート等のゴムシート材３を重合して貼着した後、パンチングマシン（不図示）等により、該ゴムシート材３の上面からシート状起毛部材１に貫通する無数の微細な通気孔４が穿設されている。またシート状起毛部材１の厚さｈは、約０．０８ｍｍ〜０．２ｍｍ、好適には０．１ｍｍとし、ゴムシート材３の厚さＨは約０．４ｍｍ〜０．６ｍｍ、好適には０．５ｍｍとしている。
【００３６】
図２、図３及び図４に示す捲回固定帯１０は、足関節部の固定用として、捲回用シートＳを、裁断機等で平面視、略Ｔ定規形に裁断して製作されるもので、水平部１１及び垂直部１２からなり、垂直部１２の中心線Ｃで左右を対称として一体的に形成され、水平部１１の長さＬ１（水平部の長さＬ１）は、少なくとも大人の足首を１周以上する、約２５ｃｍ〜２９ｃｍ、好適には約２７ｃｍとし、その巾寸法Ｗ１は、約６ｃｍ〜８ｃｍ、好適には約７ｃｍとし、水平部１１の四隅１１ａ、１１ｂ、１１ｃ及び１１ｄは円弧状に形成されると共に、その一端には係着用面ファスナー１４がシート状起毛部材１側にそれぞれ接着剤を介して貼着するか又は縫着１４ａされている。なお、図３に示すように係着用面ファスナー１４は、鈎状の雄部材１４ｂが基材１４ｃに植設されている。
【００３７】
垂直部１２は、水平部１１の下端１１ｅから垂直状に延設され、その長さＬ２（垂直部の長さＬ２）は、水平部１１の上端１１ｆから約８３ｃｍ〜８７ｃｍ、好適には約８５ｃｍとし、その巾寸法Ｗ２は、約５ｃｍ〜７ｃｍ、好適には約６ｃｍとし、水平部１１の下端１１ｅに交叉する垂直部１２の上端は、円弧状に形成されている。
【００３８】
垂直部１２の下端部１２ａには、係着用面ファスナー１５が接着剤を介して貼着するか又は縫着１５ａされている。なお、図４に示すように係着用面ファスナー１５は、鈎状の雄部材１５ｂが基材１５ｃに植設されている。
【００３９】
図５に示すのは捲回用シートＳを、右手首及び右親指固定用捲回固定帯２０として裁断したもので、平面視、略クランク状を呈し、上方部２１を親指捲回用、下方部２２を手首捲回用とし、上方部２１の長さＬ１０は下方部２２の長さＬ２０より小とし、上方部２１の上端２１ａには、鈎状の雄部材である係着用面ファスナー２３が接着剤を介して貼着するか又は縫着２３ａされ、また下方部２２の下端２２ａには鈎状の雄部材である係着用面ファスナー２４が接着剤を介して貼着するか又は縫着２４ａされている。
【００４０】
図６は、図５に示す右手首及び右親指固定用捲回固定帯２０と対称をなす左手首及び左親指固定用捲回固定帯３０で、図５と同様に上方部３１を親指捲回用、下方部３２を手首捲回用とし、上方部３１の長さＬ１０は下方部３２の長さＬ２０より小とし、上方部３１の上端３１ａには、鈎状の雄部材である係着用面ファスナー３３が接着剤を介して貼着するか又は縫着３３ａされ、また下方部３２の下端３２ａには鈎状の雄部材である係着用面ファスナー３４が接着剤を介して貼着するか又は縫着３４ａされている。
【００４１】
次に、足関節用捲回固定帯１０を右足へ装着する手順を、図１〜図４及び図７に基づいて説明する。図７（イ）に示すように、先ず足関節用捲回固定帯１０の水平部１１の裏面側（ゴムシート材３）の垂直部の中心線部Ｃ（図２、参照）を足首内側Ｆ１に向けて当接し、次に水平部１１の両端を足首外側Ｆ２に捲回して（ロ）、面ファスナー１４取付部を足首内側Ｆ１まで牽引し、水平部１１と垂直部１２が交叉する部位の表面側（シート状起毛部材１）の起毛１ａ部に面ファスナー１４を押圧して係着する（ハ）。続いて垂直部１２の中程又は下端部１２ａを把持し、（ニ）に示すようにこれを内果部Ｆ３を経て足底Ｆ４から外果部Ｆ５に捲き上げ、さらにこれを足首内側Ｆ１に向けて捻り返し（ホ）、垂直部１２の中程と下端部１２ａはアキレス腱Ｆ６を経て足首外側Ｆ２に反転され（ヘ）、さらに足甲Ｆ７を経て（ト）足底Ｆ４を再度捲回し（チ）、垂直部１２の下端部１２ａは外果部Ｆ５を経て内果部Ｆ３に戻され、面ファスナー１５をシート状起毛部材１の起毛１ａ部に押圧して、足関節用捲回固定帯１０の右足へ装着作業は、終了する。
【００４２】
足関節用捲回固定帯１０を、左足へ装着する手順は、右足へ装着する手順とほぼ同一作業となるので図示及びその説明は省略する。
【００４３】
右手首及び右親指固定用捲回固定帯２０の装着作業を、図５及び図８に基づいて説明する。先ず図８（オ）に示すように、略クランク形状になっている上方部２１の上端２１ａと下端２１ｂを裏面側（ゴムシート材３）が内側になるようにリングＲを形成し、面ファスナー２３を起毛１ａ部に押圧して仮係着する。次に右手親指Ｙ１を外側に拡開（ワ）し、該右手親指Ｙ１にリングＲを挿入（カ）した後、（ヨ）に示すように、右手の差し指Ｙ２、中指Ｙ３及び薬指Ｙ４で下方部２２の上端２２ｂを固定する。続いて下方部２２の下端２２ａ近傍を左手で把持し、（タ）に示すように矢印Ｐ方向に手首Ｈを巻回し、面ファスナー２４を下方部２２に押圧すれば、鈎状の雄部材が起毛１ａに係着され、右手首Ｈは固定される。最後にリングＲを形成し上方部２１で仮係着している面ファスナー２３の鈎状雄部材を起毛１ａ部からいったん解放し、改めて面ファスナー２３を牽引しながら適宜部位に押圧して係着し、右手首及び右親指固定用捲回固定帯２０の装着作業は終了する（レ）。
【００４４】
左手首及び左親指固定用捲回固定帯３０の装着作業は、図５の右手首及び右親指固定用
捲回固定帯２０の装着作業とは逆の動作となり、これを図６及び図９に基づいて説明する。
先ず図９（ソ）に示すように、略クランク形状になっている上方部３１の上端３１ａと下端３１ｂを裏面側（ゴムシート材３）が内側になるようにリングＲを形成し、面ファスナー３３を起毛１ａ部に押圧して仮係着する。次に右手親指Ｙ１０を外側に拡開（ツ）し、該左手親指Ｙ１０にリングＲを挿入（ネ）した後、（ナ）に示すように、左手の差し指Ｙ２０、中指Ｙ３０及び薬指Ｙ４０で下方部３２の上端３２ｂを固定する。続いて下方部３２の下端３２ａ近傍を右手で把持し、（ラ）に示すように矢印Ｐ１方向に手首Ｈを巻回し、面ファスナー３４を下方部３２に押圧すれば、鈎状の雄部材が起毛１ａに係着され、右手首Ｈは固定される。最後にリングＲを形成し上方部３１で仮係着している面ファスナー３３の鈎状雄部材を起毛１ａ部からいったん解放し、改めて面ファスナー３３を牽引しながら適宜部位に押圧して係着して、右手首及び親指固定用捲回固定帯３０の装着作業は終了する（ム）。
【図面の簡単な説明】
【００４５】
【図１】は本発明に係る、捲回用シートの構造を示す断面図である。
【図２】は同、足関節用捲回固定帯の平面図である。
【図３】は同、図２におけるＡ部の拡大側面図である。
【図４】は同、図２におけるＢ部の拡大側面図である。
【図５】は同、右手首及び右親指固定用捲回固定帯の平面図である。
【図６】は同、左手首及び左親指固定用捲回固定帯の平面図である。
【図７】（イ）〜（リ）は、足関節用捲回固定帯の装着手順説明である。
【図８】（オ）〜（レ）は、右手首及び右親指固定用捲回固定帯の装着手順説明図である。
【図９】（ソ）〜（ム）は、左手首及び左親指固定用捲回固定帯の装着手順説明図である。
【符号の説明】
【００４６】
Ｓ                                捲回用シート
１                                シート状起毛部材
１ａ                              起毛
２                                ゴム系接着剤
３                                ゴムシート材
４                                通気孔
１０                              足関節用捲回固定帯
１１                              水平部
１１ａ、１１ｂ、１１ｃ、１１ｄ    四隅
１２                              垂直部
１２ａ                            下端部
１２ｃ、１２ｄ                    二隅
１４、１５                        係着用面ファスナー
１４ａ、１５ａ                    逢着
２０                              右手首及び右親指固定用捲回固定帯
２１                              上方部
２１ａ                            上端部
２２                              下方部
２２ａ                            下端部
２３、２４                        係着用面ファスナー
２３ａ、２４ａ                    縫着
２５                              連結部
３０                              左手首及び左親指固定用捲回固定帯
３１                              上方部
３１ａ                            上端部
３２                              下方部
３２ａ                            下端部
３３、３４                        係着用面ファスナー
３３ａ、３４ａ                    縫着
３５                              連結部
【図１】
2007014747.tif 000003
【図２】
2007014747.tif 000004
【図３】
2007014747.tif 000005
【図４】
2007014747.tif 000006
【図５】
2007014747.tif 000007
【図６】
2007014747.tif 000008
【図７】
2007014747.tif 000009
【図８】
2007014747.tif 000010
【図９】
2007014747.tif 000011